(57)【要約】  この発明の表示装置は、β＋線の測定情報を有したＩＰ画像の輪郭が不明瞭で、測定対象の領域がたとえわかりにくくとも、そのＩＰ画像と、血液の形態情報を有したスキャナ画像とを重ね合わせて重畳表示するメイン画面５１を備えることで、ＩＰ画像からスキャナ画像の測定対象の領域を視覚的に把握することができる。また、血液が移動した痕跡がＩＰ画像に写った場合であっても、ＩＰ画像とスキャナ画像とを重ね合わせて重畳表示することによって、測定対象の位置を特定することができる。
2013057762.tif 000002
【特許請求の範囲】
【請求項１】
測定対象の液体中に含まれている発光あるいは蛍光物質から発生した光あるいは測定対象の液体中に含まれている放射線を測定する測定システムに用いられる表示装置であって、
前記測定対象の液体中に含まれている発光あるいは蛍光物質から発生した光あるいは前記測定対象の液体中に含まれている放射線の測定情報を有した測定情報画像を読み込む第１読み込み手段と、
前記測定対象の液体の形態情報を有した形態情報画像を読み込む第２読み込み手段と、
前記第１読み込み手段で読み込まれた当該測定情報画像、前記第２読み込み手段で読み込まれた当該形態情報画像を重ね合わせて重畳表示する重畳表示手段と
を備えることを特徴とする表示装置。
【請求項２】
請求項１に記載の表示装置において、
前記第２読み込み手段で読み込まれた当該形態情報画像の輪郭を強調して輪郭強調画像を出力する輪郭強調手段を備え、
前記重畳表示手段は、前記第１読み込み手段で読み込まれた当該測定情報画像、前記輪郭強調手段により輪郭が強調された当該輪郭強調画像を重ね合わせて重畳表示する
ことを特徴とする表示装置。
【請求項３】
請求項１または請求項２に記載の表示装置において、
前記第１読み込み手段で読み込まれた当該測定情報画像を表示する測定情報画像表示手段を備えることを特徴とする表示装置。
【請求項４】
請求項１から請求項３のいずれかに記載の表示装置において、
前記第２読み込み手段で読み込まれた当該形態情報画像を表示する形態情報画像表示手段を備えることを特徴とする表示装置。
【請求項５】
請求項１から請求項４のいずれかに記載の表示装置において、
各画像を１つの画面上に表示するように構成することを特徴とする表示装置。
【請求項６】
請求項１から請求項４のいずれかに記載の表示装置において、
各画像を１つのウィンドウ画面に表示するとともに、各画像を当該ウィンドウ画面とは別の１つ以上のタブあるいは別の１つ以上のウィンドウ画面に表示するように構成することを特徴とする表示装置。
【請求項７】
請求項１から請求項６のいずれかに記載の表示装置において、
前記第１読み込み手段で読み込まれた当該測定情報画像、前記第２読み込み手段で読み込まれた当該形態情報画像のいずれか少なくとも１つの画像を縮小表示する縮小表示手段と、
その縮小表示手段により縮小表示された当該画像を選択する画像選択手段と、
その画像選択手段で選択された当該画像を拡大表示する拡大表示手段と
を備えることを特徴とする表示装置。
【請求項８】
請求項７に記載の表示装置において、
前記縮小表示手段は、前記測定情報画像、前記形態情報画像を重ね合わせて重畳処理した重畳処理後の画像を縮小表示し、
前記画像選択手段を、前記縮小表示手段により縮小表示された当該重畳処理後の画像も選択可能に構成し、
前記拡大表示手段は、前記画像選択手段により当該重畳処理後の画像が選択された場合には、当該重畳処理後の画像を拡大表示する
ことを特徴とする表示装置。
【請求項９】
請求項７または請求項８に記載の表示装置において、
前記縮小表示された画像、前記拡大表示された画像も含めた各画像を１つの画面上に表示するように構成することを特徴とする表示装置。
【請求項１０】
請求項７または請求項８に記載の表示装置において、
前記縮小表示された画像、前記拡大表示された画像も含めた各画像を１つのウィンドウ画面に表示するとともに、各画像を当該ウィンドウ画面とは別の１つ以上のタブあるいは別の１つ以上のウィンドウ画面に表示するように構成することを特徴とする表示装置。
【請求項１１】
測定対象の液体中に含まれている発光あるいは蛍光物質から発生した光あるいは測定対象の液体中に含まれている放射線を測定して得られた測定データを表示する表示方法であって、
前記測定対象の液体中に含まれている発光あるいは蛍光物質から発生した光あるいは前記測定対象の液体中に含まれている放射線の測定情報を有した測定情報画像を読み込む第１読み込み工程と、
前記測定対象の液体の形態情報を有した形態情報画像を読み込む第２読み込み工程と、
前記第１読み込み工程で読み込まれた当該測定情報画像、前記第２読み込み工程で読み込まれた当該形態情報画像を重ね合わせて重畳表示する重畳表示工程と
を備えることを特徴とする表示方法。
【請求項１２】
請求項１１に記載の表示方法において、
前記第２読み込み工程で読み込まれた当該形態情報画像の輪郭を強調して輪郭強調画像を出力する輪郭強調工程を備え、
前記重畳表示工程では、前記第１読み込み工程で読み込まれた当該測定情報画像、前記輪郭強調工程で輪郭が強調された当該輪郭強調画像を重ね合わせて重畳表示する
ことを特徴とする表示方法。
【請求項１３】
請求項１１または請求項１２に記載の表示方法において、
前記第１読み込み工程で読み込まれた当該測定情報画像、前記第２読み込み工程で読み込まれた当該形態情報画像のいずれか少なくとも１つの画像を縮小表示する縮小表示工程と、
その縮小表示工程で縮小表示された当該画像を選択する画像選択工程と、
その画像選択工程で選択された当該画像を拡大表示する拡大表示工程と
を備えることを特徴とする表示方法。
【請求項１４】
請求項１３に記載の表示方法において、
前記縮小表示工程では、前記測定情報画像、前記形態情報画像を重ね合わせて重畳処理した重畳処理後の画像を縮小表示し、
前記画像選択工程では、前記縮小表示工程で縮小表示された当該重畳処理後の画像も選択し、
前記拡大表示工程では、前記画像選択工程で当該重畳処理後の画像が選択された場合には、当該重畳処理後の画像を拡大表示する
ことを特徴とする表示方法。
【請求項１５】
測定対象の液体中に含まれている発光あるいは蛍光物質から発生した光あるいは測定対象の液体中に含まれている放射線を測定して得られた測定データを表示する一連の処理をコンピュータに実行させるための表示プログラムであって、
前記測定対象の液体中に含まれている発光あるいは蛍光物質から発生した光あるいは前記測定対象の液体中に含まれている放射線の測定情報を有した測定情報画像を読み込む第１読み込み工程と、
前記測定対象の液体の形態情報を有した形態情報画像を読み込む第２読み込み工程と、
前記第１読み込み工程で読み込まれた当該測定情報画像、前記第２読み込み工程で読み込まれた当該形態情報画像を重ね合わせて重畳表示する重畳表示工程と
を備え、
これらの工程での処理をコンピュータに実行させることを特徴とする表示プログラム。
【発明の詳細な説明】
【技術分野】
【０００１】
この発明は、測定対象の液体中に含まれている発光あるいは蛍光物質から発生した光あるいは測定対象の液体中に含まれている放射線を測定する測定システムに用いられる表示装置、表示方法並びに表示プログラムに関する。
【背景技術】
【０００２】
測定システムは、例えば液体採取装置に用いられる。液体採取装置として、血液を採取する、すなわち採血する採血装置を例にとって説明する。採血装置は、核医学診断（例えば、ＰＥＴ(Positron Emission Tomography)、ＳＰＥＣＴ（Single Photon Emission CT）など）における定量解析で用いられ、特に小動物（例えばマウスやラットなど）の動脈血中の放射能濃度の測定に用いられている。【０００３】
具体的には、小動物に放射性薬剤を投与した後に血液を採取（採血）して、既定時間ごとの全採血終了後に遠心分離による血漿分離を行い、全血および血漿中の放射能濃度の時間変化を測定する（例えば、特許文献１参照）。より具体的に説明すると、血液中に含まれているβ＋線に対して露光を行って放射能分布を可視化するイメージングプレート（IP: Imaging Plate）を用いて測定する。イメージングプレート（「ＩＰ」と適宜略記する）から得られたＩＰ画像から放射線量の値を取得するソフトウェアとして、例えば富士フィルム社製のMulti Gaugeがある。このソフトウェアでは、ＩＰ画像を読み込んでソフトウェア上で関心領域を設定して、関心領域内の画素値を計算することで、単位面積当たりの放射線量を求めることができる。
【先行技術文献】
【特許文献】
【０００４】
【特許文献１】国際公開第ＷＯ２００９−０９３３０６号
【発明の概要】
【発明が解決しようとする課題】
【０００５】
しかしながら、従来技術において、上述したようにＩＰ画像は放射線分布だけを画像化するので、輪郭が不明瞭で測定対象の位置が視覚的にわかりにくいという課題がある。また、測定対象が放射性物質を含む液体である場合、測定対象の液体が移動した痕跡にも放射性物質が付着してＩＰ画像に写るので、ＩＰ画像などに代表される測定情報画像だけではその測定対象の位置の特定が難しいという課題がある。また、正確な関心領域を設定するためにスキャナ画像などに代表される形態情報画像を利用する方法も考えられるが、Multi Gaugeも含む従来のＩＰ画像専用解析ソフトではＩＰ画像読取装置以外の画像を読み込んで解析することはできなかった。【０００６】
この発明は、このような事情に鑑みてなされたものであって、測定情報画像から測定対象の領域を把握することができる測定システムに用いられる表示装置、表示方法並びに表示プログラムを提供することを目的とする。
【課題を解決するための手段】
【０００７】
発明者らは、上記の問題を解決するために鋭意研究した結果、次のような知見を得た。【０００８】
すなわち、従来のＩＰ画像専用解析ソフト以外を用いなくても、ＩＰ画像などに代表される測定情報画像と、スキャナ画像などに代表される形態情報画像とをＣＰＵ（中央演算処理装置）などにより重ね合わせて重畳処理を行えば、測定情報画像から形態情報画像の測定対象の領域を把握することができ、測定対象の位置を特定することが可能である。しかし、重畳処理はＣＰＵによるアルゴリズムにより行われるので、もし形態情報画像の方で不具合があれば、重畳処理が誤って自動的に行われる可能性がある。また、上述したように液体である測定対象が移動すると、移動の痕跡が重畳処理の対象と誤って認識される可能性もある。【０００９】
そこで、濃淡差に基づいて、スキャナ画像における血漿・血球領域を上下左右に移動させて、ＩＰ画像とのとの重なりが最大となる位置を重畳位置として求めて、重畳処理を行うことで、重畳処理に関する校正（キャリブレーション）を行う手法も考えられる。しかし、上述した移動の痕跡を濃淡差に基づく重畳位置と間違って認識した場合には、キャリブレーション自体が誤って自動的に行われる可能性がある。してみれば、ＣＰＵによるアルゴリズムに基づく自動解析に頼るのでなく、原点に戻って、これらの画像を可視化して表示すれば、測定対象の領域を目視で確認することができるという知見を得た。【００１０】
このような知見に基づくこの発明は、次のような構成をとる。
すなわち、この発明に係る測定システムに用いられる表示装置は、測定対象の液体中に含まれている発光あるいは蛍光物質から発生した光あるいは測定対象の液体中に含まれている放射線を測定する測定システムに用いられる表示装置であって、前記測定対象の液体中に含まれている発光あるいは蛍光物質から発生した光あるいは前記測定対象の液体中に含まれている放射線の測定情報を有した測定情報画像を読み込む第１読み込み手段と、前記測定対象の液体の形態情報を有した形態情報画像を読み込む第２読み込み手段と、前記第１読み込み手段で読み込まれた当該測定情報画像、前記第２読み込み手段で読み込まれた当該形態情報画像を重ね合わせて重畳表示する重畳表示手段とを備えることを特徴とするものである。【００１１】
この発明の測定システムに用いられる表示装置によれば、光あるいは放射線の測定情報を有した測定情報画像の輪郭が不明瞭で、測定対象の領域がたとえわかりにくくとも、その測定情報画像を読み込む第１読み込み手段と、測定対象の液体の形態情報を有した形態情報画像を読み込む第２読み込み手段と、第１読み込み手段で読み込まれた当該測定情報画像、第２読み込み手段で読み込まれた当該形態情報画像を重ね合わせて重畳表示する重畳表示手段とを備えることで、測定情報画像から形態情報画像の測定対象の領域を視覚的に把握することができる。また、測定対象の液体が移動した痕跡が測定情報画像に写った場合であっても、測定情報画像と形態情報画像とを重ね合わせて重畳表示する重畳表示手段によって、測定対象の位置を特定することができる。【００１２】
また、この発明に係る表示方法は、測定対象の液体中に含まれている発光あるいは蛍光物質から発生した光あるいは測定対象の液体中に含まれている放射線を測定して得られた測定データを表示する表示方法であって、前記測定対象の液体中に含まれている発光あるいは蛍光物質から発生した光あるいは前記測定対象の液体中に含まれている放射線の測定情報を有した測定情報画像を読み込む第１読み込み工程と、前記測定対象の液体の形態情報を有した形態情報画像を読み込む第２読み込み工程と、前記第１読み込み工程で読み込まれた当該測定情報画像、前記第２読み込み工程で読み込まれた当該形態情報画像を重ね合わせて重畳表示する重畳表示工程とを備えることを特徴とするものである。【００１３】
また、この発明に係る表示プログラムは、測定対象の液体中に含まれている発光あるいは蛍光物質から発生した光あるいは測定対象の液体中に含まれている放射線を測定して得られた測定データを表示する一連の処理をコンピュータに実行させるための表示プログラムであって、前記測定対象の液体中に含まれている発光あるいは蛍光物質から発生した光あるいは前記測定対象の液体中に含まれている放射線の測定情報を有した測定情報画像を読み込む第１読み込み工程と、前記測定対象の液体の形態情報を有した形態情報画像を読み込む第２読み込み工程と、前記第１読み込み工程で読み込まれた当該測定情報画像、前記第２読み込み工程で読み込まれた当該形態情報画像を重ね合わせて重畳表示する重畳表示工程とを備え、これらの工程での処理をコンピュータに実行させることを特徴とするものである。【００１４】
この発明の表示方法および表示プログラムによれば、第１読み込み工程で、測定対象の液体中に含まれている発光あるいは蛍光物質から発生した光あるいは測定対象の液体中に含まれている放射線の測定情報を有した測定情報画像を読み込むとともに、第２読み込み工程で、測定対象の液体の形態情報を有した形態情報画像を読み込む。そして、第１読み込み工程で読み込まれた当該測定情報画像、第２読み込み工程で読み込まれた当該形態情報画像を重畳表示工程で重ね合わせて重畳表示することで、測定情報画像から形態情報画像の測定対象の領域を視覚的に把握することができる。【００１５】
上述したこの発明に係る表示装置において、第２読み込み手段で読み込まれた当該形態情報画像の輪郭を強調して輪郭強調画像を出力する輪郭強調手段を備え、重畳表示手段は、第１読み込み手段で読み込まれた当該測定情報画像、輪郭強調手段により輪郭が強調された当該輪郭強調画像を重ね合わせて重畳表示するのが好ましい。また、上述したこの発明に係る表示方法において、第２読み込み工程で読み込まれた当該形態情報画像の輪郭を強調して輪郭強調画像を出力する輪郭強調工程を備え、重畳表示工程では、第１読み込み工程で読み込まれた当該測定情報画像、輪郭強調工程で輪郭が強調された当該輪郭強調画像を重ね合わせて重畳表示するのが好ましい。形態情報画像の輪郭を強調して輪郭強調画像を出力することで関心領域を抽出することができ、それを測定情報画像と重ね合わせることで重畳表示の際にわかりやすくなる。【００１６】
上述したこれらの表示装置において、第１読み込み手段で読み込まれた当該測定情報画像を表示する測定情報画像表示手段を備えてもよいし、第２読み込み手段で読み込まれた当該形態情報画像を表示する形態情報画像表示手段を備えてもよい。重畳表示の基となる測定情報画像／形態情報画像のいずれか少なくとも１つの画像を表示することで、重畳表示の基となる各画像を視覚的にわかりやすくすることができる。【００１７】
上述したこれらの表示装置において、各画像を１つの画面上に表示するように構成してもよい。各画像を１つの画面上で速やかに切り替えて表示し視覚的に一層わかりやすくすることができる。もちろん、各画像を１つのウィンドウ画面に表示するとともに、各画像を当該ウィンドウ画面とは別の１つ以上のタブあるいは別の１つ以上のウィンドウ画面に表示するように構成してもよい。【００１８】
上述したこれらの発明に係る表示装置において、第１読み込み手段で読み込まれた当該測定情報画像、第２読み込み手段で読み込まれた当該形態情報画像のいずれか少なくとも１つの画像を縮小表示する縮小表示手段と、その縮小表示手段により縮小表示された当該画像を選択する画像選択手段と、その画像選択手段で選択された当該画像を拡大表示する拡大表示手段とを備えるのが好ましい。【００１９】
また、上述したこれらの発明に係る表示方法において、第１読み込み工程で読み込まれた当該測定情報画像、第２読み込み工程で読み込まれた当該形態情報画像のいずれか少なくとも１つの画像を縮小表示する縮小表示工程と、その縮小表示工程で縮小表示された当該画像を選択する画像選択工程と、その画像選択工程で選択された当該画像を拡大表示する拡大表示工程とを備えるのが好ましい。【００２０】
重畳表示の基となる測定情報画像／形態情報画像のいずれか少なくとも１つの画像を縮小表示することで、縮小表示された当該画像を選択しやすくすることができる。さらに、選択された当該画像を拡大表示することで、選択された当該画像を視覚的にわかりやすくすることができる。【００２１】
縮小表示手段と画像選択手段と拡大表示手段とを備えた場合において、縮小表示手段は、測定情報画像、形態情報画像を重ね合わせて重畳処理した重畳処理後の画像を縮小表示し、画像選択手段を、縮小表示手段により縮小表示された当該重畳処理後の画像も選択可能に構成し、拡大表示手段は、画像選択手段により当該重畳処理後の画像が選択された場合には、当該重畳処理後の画像を拡大表示するのが好ましい。【００２２】
また、縮小表示工程と画像選択工程と拡大表示工程とを備えた場合において、縮小表示工程では、測定情報画像、形態情報画像を重ね合わせて重畳処理した重畳処理後の画像を縮小表示し、画像選択工程では、縮小表示工程で縮小表示された当該重畳処理後の画像も選択し、拡大表示工程では、画像選択工程で当該重畳処理後の画像が選択された場合には、当該重畳処理後の画像を拡大表示するのが好ましい。【００２３】
重畳処理後の画像を縮小表示することで、縮小表示された当該重畳処理後の画像も選択しやすくすることができる。さらに、選択された当該重畳処理後の画像を拡大表示することで、選択された当該重畳処理後の画像・選択の対象となる各画像間で視覚的にわかりやすく切り替え表示することができる。【００２４】
また、縮小表示手段と画像選択手段と拡大表示手段とを備えた場合においても、縮小表示された画像、拡大表示された画像も含めた各画像を１つの画面上に表示するように構成してもよい。各画像を１つの画面上で速やかに切り替えて表示し視覚的に一層わかりやすくすることができる。もちろん、縮小表示された画像、拡大表示された画像も含めた各画像を１つのウィンドウ画面に表示するとともに、各画像を当該ウィンドウ画面とは別の１つ以上のタブあるいは別の１つ以上のウィンドウ画面に表示するように構成してもよい。
【発明の効果】
【００２５】
この発明に係る測定システムに用いられる表示装置によれば、測定対象の液体中に含まれている発光あるいは蛍光物質から発生した光あるいは測定対象の液体中に含まれている放射線の測定情報を有した測定情報画像を読み込む第１読み込み手段と、測定対象の液体の形態情報を有した形態情報画像を読み込む第２読み込み手段と、第１読み込み手段で読み込まれた当該測定情報画像、第２読み込み手段で読み込まれた当該形態情報画像を重ね合わせて重畳表示する重畳表示手段とを備えることで、測定情報画像から形態情報画像の測定対象の領域を視覚的に把握することができる。
また、この発明の表示方法および表示プログラムによれば、第１読み込み工程で、測定対象の液体中に含まれている発光あるいは蛍光物質から発生した光あるいは測定対象の液体中に含まれている放射線の測定情報を有した測定情報画像を読み込むとともに、第２読み込み工程で、測定対象の液体の形態情報を有した形態情報画像を読み込む。そして、第１読み込み工程で読み込まれた当該測定情報画像、第２読み込み工程で読み込まれた当該形態情報画像を重畳表示工程で重ね合わせて重畳表示することで、測定情報画像から形態情報画像の測定対象の領域を視覚的に把握することができる。
【図面の簡単な説明】
【００２６】
【図１】各実施例に係る採血装置および測定装置の概略斜視図である。
【図２】各実施例に係る測定装置のブロック図である。
【図３】測定装置の撮像部におけるスキャナの概略斜視図である。
【図４】各実施例に係る円板の概略平面図である。
【図５】各実施例に係る表示装置のブロック図である。
【図６】表示装置の出力モニタにおける表示形態の一例である。
【図７】実施例１に係る一連の処理の流れを示したフローチャートである。
【図８】実施例２に係る一連の処理の流れを示したフローチャートである。
【実施例１】
【００２７】
以下、図面を参照してこの発明の実施例１を説明する。
図１は、各実施例に係る採血装置および測定装置の概略斜視図であり、図２は、各実施例に係る測定装置のブロック図であり、図３は、測定装置の撮像部におけるスキャナの概略斜視図である。後述する実施例２も含めて、本実施例１では、測定対象の液体として血液を例に採って説明するとともに、測定システムとして採血装置および測定装置を備えたシステムを例に採って説明する。【００２８】
後述する実施例２も含めて、図１に示すように、本実施例１に係る採血装置１０は、測定対象の血液を時系列に分離して採取する。また、採血装置１０の周辺には、採血装置１０で採取された血液中に含まれている放射線（例えばβ線やγ線など）を測定する測定装置３０を備えている。【００２９】
採血装置１０は、２枚のＰＤＭＳ樹脂（Polydimethylsiloxane）からなるＰＤＭＳ基板１１，１２を上下に重ねて構成された微小流体素子（液体分割デバイス）４０を備えている。ＰＤＭＳ基板１１，１２に対して所定の寸法で溝加工を施しており、その溝加工の溝によって主流路１３および側路４１，４２，４３をそれぞれ形成している。ここで、採血装置１０の素材はＰＤＭＳに限定されず、アクリル、ポリカーボネート、COP（シクロオレフィンポリマー）など樹脂光学的に透明なものであれば良い。【００３０】
主流路１３の血液入口側にはカテーテル１４を配設しており、主流路１３とカテーテル１４とを、コネクタ１５を介して接続している。血液はカテーテル１４から主流路１３に連続的に送り込まれ、流入量はバルブ（図示省略）で制御される。主流路１３の血液出口側には血液用配管１６を配設しており、主流路１３と血液用配管１６とを、コネクタ１７を介して接続している。【００３１】
主流路１３を挟んで光源２１およびフォトダイオード２２を配設している。主流路１３を流れる血液あるいは後述するヘパリン溶液に光源２１から光を照射し、血液による遮光をフォトダイオード２２が検知することで、その血液あるいはヘパリン溶液を光学的に監視（モニタ）しながら後述する血液あるいはヘパリン溶液の長さ情報を測定する。ここでは光学測定手段として光源２１およびフォトダイオード２２を例に採って説明したが、測定対象の液体を光学的に監視しながら液体の間隔を測定する手段であれば、光源２１およびフォトダイオード２２に限定されない。例えば、ＣＣＤカメラによって測定対象の液体の体積情報を取得してもよい。また、光源２１およびフォトダイオード２２は、図１に示すように主流路１３を挟んで互いに対向配置される構成で、血液による遮光で検知する、いわゆる「透過型センサ」であったが、光源に対してフォトダイオードに代表される光検出手段を同じ側に配設し、血液による反射光で検知する、いわゆる「反射型センサ」であってもよい。【００３２】
一方、上述した血液用配管１６の下流側にはノズル２３を接続している。ノズル２３としては、注射針やガラス管など毛細管を使用する。ここで、液体を吐出する吐出部としてノズル２３を用いているが、ディスペンサを使用してもよい。このノズル２３から滴下した血液を受け取って収容する円板（「ＣＤウェル」とも呼ばれる）２４を配設している。円板２４の中央側には、滴下された血液を受け取る複数の開口部からなる流路入口２５（図４も参照）を放射状に配設している。円板２４に対しても、上述したＰＤＭＳ基板１１，１２と同様に、溝加工を施しており、その溝加工の溝によってＵ字型の溝からなる複数本のＵ字流路２６（図４も参照）を放射状に形成している。各々のＵ字流路２６は、上述した流路入口２５の外側一端に一対一でそれぞれ接続されており、各々のＵ字流路２６は、円板２４の径方向に延びて形成されている。このように、ノズル２３を介在させることで、主流路１３に対して血液が流通可能に円板２４が形成されることになる。円板２４の具体的な構成については、図４以降で後述する。【００３３】
一方、測定装置３０は、読取部３１を備えている。この読取部３１には、露光後のイメージングプレートＩＰを挿入するためのカバー部を設けており、イメージングプレートＩＰから励起された光を読み取ることで血液中に含まれているβ＋線を検出する。具体的には、図１（ｂ）に示すように、読取部３１は、レーザ光源３２とフォトマルチプライヤチューブ（光電子増倍管）３３とを備えており、レーザ光源３２からイメージングプレートＩＰにレーザを照射して、イメージングプレートＩＰへのレーザ照射によって励起された光をフォトマルチプライヤチューブ３３が電子に変換して増倍させることで、β＋線を２次元的に同時に検出する。【００３４】
続いて、測定装置３０のブロック図について説明する。図２に示すように、測定装置３０は、上述した読取部３１の他に、撮像部３４と表示装置３５とを備えている。表示装置３５については、通常のパーソナルコンピュータで構成してもよい。表示装置３５は、この発明における表示装置に相当する。表示装置３５の具体的な構成については、図５以降で後述する。【００３５】
図３に示すように、撮像部３４は円板２４を撮像する。後述する実施例２も含めて、本実施例１では、撮像部３４としてフラットヘッドスキャナを採用する。円板２４の直径分の長さを少なくとも有する線状の光源３４ａと円板２４を挟んで光源３４ａに対して対向配置された線状のフォトダイオードアレイ（すなわちラインセンサ）３４ｂでフラットヘッドスキャナを構成する。フラットヘッドスキャナで円板２４上を走査（スキャン）することで円板２４を撮像して、円板２４の画像を取得する。【００３６】
図１の説明に戻り、上述したように、微小流体素子４０は、血液を送り込む主流路１３と、血液凝固の発生を防ぐための抗凝固剤の一種であるヘパリン溶液を送り込む側路４１と、空気あるいはガスを送り込む側路４２と、血液あるいはヘパリン溶液を排出する側路４３とを備えている。【００３７】
側路４１の溶液入口側には洗浄液用配管４４を配設しており、側路４１と洗浄液用配管４４とを、コネクタ４５を介して接続している。必要に応じて主流路１３にヘパリン溶液を洗浄液用配管４４から側路４１を介して流し込むことで流路を洗浄する。ヘパリン溶液の流入量はバルブで制御される。抗凝固剤はヘパリン溶液に限定されない。【００３８】
側路４２の気体入口側には気泡用配管４６を配設しており、側路４２と気泡用配管４６とを、コネクタ４７を介して接続している。圧力発生器（図示省略）で制御された空気あるいはガスの流入時間をバルブで調整して、側路４２を通して主流路１３に送り込む。この気泡によって血液の長さ情報に基づく血液の取り出しと微小流体素子４０の流路に残留する廃液（血液、ヘパリン溶液あるいはこれらの混合液）の排出を行う。ここで、送り込まれるガスについては限定されず、ヘリウムやネオンやアルゴンなどの希ガス、あるいは窒素ガスに例示されるように、血液やヘパリン溶液と反応しないガスであれば良い。【００３９】
気泡用配管４６は、側路１４を通って主流路１３に気体（例えば空気やガスなど）を送り込み、指定された所定の間隔でその気体を気泡として挿入することで、測定対象の血液を時系列的に分離して円板２４に送り出す。つまり、気泡は、セパレータとしての機能を果たす。なお、セパレータとして気体を使用したが、気体に限定されずに、測定対象の液体（各実施例１、２では血液）に対して混合する可能性が少ない、あるいは可能性がなければ、測定対象の液体とは別の液体をセパレータとして使用してもよい。後述する実施例２も含めて、本実施例１のように測定対象の液体が血液の場合には、ミネラルオイルやフッ素系のオイルなどに代表されるように血液と相互に混ざり合わない液体をセパレータとして使用してもよい。但し、液体をセパレータとして使用する場合には、血液と接触するのでセパレータとして使用できるが、円板２４に送り出して採取する点では望ましくない。【００４０】
側路４３の廃液出口側には廃液用配管４８を配設しており、側路４３と廃液用配管４８とを、コネクタ４９を介して接続している。バルブで排出量を調整して採血されるべき血液以外の血液や、流路洗浄後のヘパリン溶液や、これらの混合液を廃液として排出する。【００４１】
また、主流路１３のコネクタ１５よりも下流にバルブを配設し、主流路１３のコネクタ１７、光源２１およびフォトダイオード２２よりも上流にバルブを配設している。側路４１のコネクタ４５よりも下流にバルブを配設し、側路４２のコネクタ４７よりも下流にバルブを配設している。また、側路４３のコネクタ４９よりも上流にバルブを配設している。【００４２】
次に、円板２４の具体的な構成について、図１も含めて図４を参照して説明する。図４は、各実施例に係る円板の概略平面図である。円板２４のＵ字流路２６は、図４に示すように、上述の流路入口２５と空気穴２７とをつないで形成されている。血液の導入口である流路入口２６を血液の上流部、空気穴２７を下流部としたときに、上流部から下流部へは、Ｕ字流路２６は、円板２４の径方向に内側から外側に向かって延びて、折り返して円板２４の径方向に外側から内側に向かって延びて形成されたＵ字型となっている。かかるＵ字流路２６を複数に備えている。【００４３】
図１に示すように、円板２４の中央に円板２４を回転させるモータ２８を備えている。モータ２８の回転軸２９を円板２４に連結させることで、モータ２８による円板２４の遠心力を利用して、血液を遠心分離させて血漿および血球に分離する血漿分離を行う。【００４４】
後述する実施例２も含めて、本実施例１では、円板２４はアクリル板で形成されている。円板２４の素材はアクリルに限定されず、上述のＰＤＭＳ、その他、ポリカーボネート、ＣＯＰなど樹脂光学的に透明なものであれば良い。【００４５】
次に、表示装置３５の具体的な構成について、図５および図６を参照して説明する。図５は、各実施例に係る表示装置のブロック図であり、図６は、表示装置の出力モニタにおける表示形態の一例である。図５に示すように、表示装置３５は、第１読み込み部３６Ａと第２読み込み部３６Ｂとメモリ部３７とコントローラ３８と入力部３９と出力モニタ５０とを備えている。第１読み込み部３６Ａは、この発明における第１読み込み手段に相当し、第２読み込み部３６Ｂは、この発明における第２読み込み手段に相当し、コントローラ３８は、この発明における輪郭強調手段に相当し、入力部３９は、この発明における画像選択手段に相当する。【００４６】
第１読み込み部３６Ａおよび第２読み込み部３６Ｂは、例えばＩ／Ｏ（Input/Output）デバイスなどの読み込みデバイスなどで構成されている。第１読み込み部３６Ａは、読取部３１（図１や図２を参照）を介してイメージングプレートＩＰ（図１を参照）で取得されたＩＰ画像を読み込む。第２読み込み部３６Ｂは、撮像部３４で取得されたスキャナ画像を読み込む。ＩＰ画像は、この発明における測定情報画像に相当し、スキャナ画像は、この発明における形態情報画像に相当する。【００４７】
メモリ部３７は、ＲＯＭ（Read-only Memory）やＲＡＭ（Random Access Memory）などに代表される記憶媒体で構成されている。後述する実施例２も含めて、本実施例１では、図７に示す一連の処理をコンピュータ（各実施例ではコントローラ３８）に実行させるための表示プログラム３７Ａをメモリ部３７は備えている。表示プログラム３７ＡはＲＯＭで構成されている。表示プログラム３７Ａは、この発明における表示プログラムに相当する。【００４８】
コントローラ３８は、中央演算処理装置（ＣＰＵ）などで構成されている。各種の画像処理を行うためのプログラムや、放射能濃度を算出するプログラムや、図５に示す表示プログラム３７Ａ等をコントローラ３８が実行することでそのプログラムに応じた画像処理や表示プログラム３７Ａに応じた図７に示す一連の処理（第１／第２読み込み部３６Ａ，３６Ｂへの読み込み制御、出力モニタ５０における表示態様）を行う。各種の画像処理として、コントローラ３８は、スキャナ画像を縮小処理、拡大処理する縮小・拡大処理の機能、あるいはスキャナ画像の輪郭を強調して輪郭強調画像を出力する輪郭強調手段の機能を有している。【００４９】
入力部３９は、マウスやキーボードやジョイスティックやトラックボールやタッチパネルなどに代表されるポインティングデバイスなどで構成されている。後述する実施例２も含めて、本実施例１では、入力部３９は、後述するメイン画面５１（図６を参照）に拡大表示するために、後述する縮小画面５２，５３，５４（図６を参照）に縮小表示された各画像を選択する画像選択手段の機能を有している。【００５０】
出力モニタ５０は、図６に示すように、メインとなる画像を拡大表示するメイン画面５１と、ＩＰ画像を縮小表示する縮小画面５２と、スキャナ画像を縮小表示する縮小画面５３と、ＩＰ画像・スキャナ画像を重ね合わせて重畳処理した重畳処理後の画像を縮小表示する縮小画面５４とを備えている。図６では、第１読み込み部３６Ａで読み込まれたＩＰ画像、第２読み込み部３６Ｂで読み込まれたスキャナ画像を重ね合わせてメイン画面５１に重畳表示している。メイン画面５１は、この発明における重畳表示手段および拡大表示手段に相当し、（ＩＰ画像を縮小表示する）縮小画面５２は、この発明における測定情報画像表示手段および縮小表示手段に相当し、（スキャナ画像を縮小表示する）縮小画面５３は、この発明における形態情報画像表示手段および縮小表示手段に相当し、（重畳処理後の画像を縮小表示する）縮小画面５４は、この発明における縮小表示手段に相当する。【００５１】
なお、図６では、縮小表示手段を各々の画像毎にそれぞれの縮小画面５２，５３，５４に分けたが、１つあるいは２つにまとめて、選択された画像に応じて切り替え縮小表示してもよい。また、図６では、縮小表示された各画像のサイズ、拡大表示された各画像のサイズを全て同じサイズにしている。もちろん、縮小表示された各画像間でサイズを互いに異なるように表示してもよいし、拡大表示された各画像間でサイズを互いに異なるように表示してもよい。【００５２】
モータ２８（図１を参照）による円板２４（図１や図３や図４を参照）の遠心力により、血漿および血球に血漿分離された円板２４の撮像を行う。イメージングプレートＩＰ（図１を参照）を用いて円板２４の撮像を行ってＩＰ画像を取得し、撮像部３４（図２や図３や図５を参照）のフラットヘッドスキャナによる円板２４の撮像を行ってスキャナ画像を取得する。なお、撮像の順番については特に限定されない。【００５３】
具体的に説明すると、血漿および血球に血漿分離された円板２４（図１や図３や図４を参照）ごとにサンプルとして、図示を省略するカセッテを開いて収容して、その上にイメージングプレートＩＰ（図１を参照）を収容して、カセッテを閉じて露光を行う。この露光によって、血液中に含まれているβ＋線の電離能により、イメージングプレートＩＰの蛍光体（図示を省略）の格子欠陥に電子が捕獲される。一定時間の露光後にイメージングプレートＩＰをカセッテから取り出して、測定装置３０（図１を参照）の読取部３１（図１や図２を参照）のカバー部に挿入して、イメージングプレートＩＰに光を照射して露光を行う。【００５４】
読取部３１（図１や図２を参照）のレーザ光源３２（図１や図２を参照）からイメージングプレートＩＰ（図１を参照）にレーザを照射する。捕獲された電子がこの照射によって伝導体に励起され正孔と再結合し、蛍光体から光として励起される。このイメージングプレートＩＰへのレーザ照射によって励起された光をフォトマルチプライヤチューブ３３（図１や図２や図５を参照）が電子に変換して増倍させることで、電気パルスとして２次元的に同時に検出して計数する。なお、レーザ光源３２からイメージングプレートＩＰへ照射した後には、再利用するために消去用光源（図示省略）から光をイメージングプレートＩＰへ照射することで、捕獲された電子を消去する。イメージングプレートＩＰと読取部３１で求められたβ＋線の計数情報に基づいて、β＋線の計数情報である血中の放射線量を求める。このようにして、ＩＰ画像が取得される。【００５５】
一方、撮像部３４（図２や図３や図５を参照）は、血漿分離された血漿および血球を円板２４（図１や図３や図４を参照）ごと撮像する。撮像部３４のフラットヘッドスキャナの光源３２ａ（図３を参照）から光を照射することで、吸光度の相違によって血漿および血球が撮像された画像上で濃淡差となって現れ、画像上で容易に識別可能である。このようにして、スキャナ画像が取得される。【００５６】
次に、一連の処理について、図７を参照して説明する。図７は、実施例１に係る一連の処理の流れを示したフローチャートである。【００５７】
先ず、読取部３１（図１や図２を参照）を介してイメージングプレートＩＰ（図１を参照）からＩＰ画像を取得するとともに、撮像部３４（図２や図３や図５を参照）のフラットヘッドスキャナからスキャナ画像を取得する。【００５８】
（ステップＳ１）画像読み込み
第２読み込み部３６Ｂ（図５を参照）は、撮像部３４（図２や図３や図５を参照）で取得されたスキャナ画像を読み込む。このステップＳ１は、この発明における第２読み込み工程に相当する。【００５９】
（ステップＵ１）輪郭強調
関心領域を抽出するために、ステップＳ１で読み込まれたスキャナ画像の輪郭をコントローラ３８（図５を参照）は強調して輪郭強調画像を出力する。輪郭強調処理としては、例えばゾーベルフィルタ(Sobel filter)処理やプレヴィットフィルタ(Prewitt filter)処理などに代表される、注目画素とその周辺画素との差分を求める一次微分による輪郭強調処理、ラプラシアンフィルタ(Laplacian filter)処理などに代表される、注目画素とその周辺画素との差分のさらなる差分を求める二次微分による輪郭強調処理などを行えばよい。これらの輪郭強調処理については公知の技術であるので、その説明を省略する。このステップＵ１は、この発明における輪郭強調工程に相当する。【００６０】
（ステップＴ１）画像読み込み
一方、第１読み込み部３６Ａ（図５を参照）は、読取部３１（図１や図２を参照）を介してイメージングプレートＩＰ（図１を参照）で取得されたＩＰ画像を読み込む。上述のステップＳ１，このステップＴ１の順番については特に限定されず、ステップＴ１を先に行ってもよいし、ステップＳ１を先に行ってもよいし、ステップＳ１，Ｔ１を同時並行に行ってもよい。このステップＴ１は、この発明における第１読み込み工程に相当する。【００６１】
（ステップＵ２）重畳処理
ステップＴ１で読み込まれたＩＰ画像、ステップＳ１で読み込まれたスキャナ画像を重ね合わせて重畳処理する。本実施例１では、好ましくは、ステップＴ１で読み込まれたＩＰ画像、ステップＵ１で輪郭が強調された輪郭強調画像を重ね合わせて重畳処理する。【００６２】
（ステップＳ２）縮小表示
ステップＳ１で読み込まれたスキャナ画像をコントローラ３８（図５を参照）は縮小処理して、縮小処理後のスキャナ画像を、図６に示す縮小画面５３に表示する。この縮小処理によって、スキャナ画像を縮小画面５３に縮小表示する。なお、輪郭が強調されていないスキャナ画像の替わりに、ステップＵ１で輪郭が強調された輪郭強調画像を縮小画面５３に縮小表示してもよい。ただし、この縮小表示はステップＵ４での画像選択のための表示処理であって、詳細に表示されるわけではないことから、必ずしもステップＵ１で輪郭が強調された輪郭強調画像を縮小画面５３に縮小表示する必要はない。【００６３】
（ステップＴ２）縮小表示
一方、ステップＴ１で読み込まれたＩＰ画像もコントローラ３８（図５を参照）は縮小処理して、縮小処理後のＩＰ画像を、図６に示す縮小画面５２に表示する。この縮小処理によって、ＩＰ画像を縮小画面５２に縮小表示する。【００６４】
（ステップＵ３）縮小表示
ステップＵ２で重畳処理された重畳処理後の画像（図７では「重ね合わせ画像」で表記）をコントローラ３８（図５を参照）は縮小処理して、重畳処理後で縮小処理後の画像を、図６に示す縮小画面５４に表示する。この縮小処理によって、重畳処理後の画像を縮小画面５４に縮小表示する。上述したステップＳ２，Ｔ２も含め、このステップＵ３は、縮小表示工程に相当する。【００６５】
（ステップＵ４）画像選択
ステップＵ５で拡大表示するために、ステップＳ２，Ｔ２およびステップＵ３で縮小表示された（重畳処理後の画像も含んだ）各画像の中から画像を、入力部３９（図５を参照）により選択する。図６に示す出力モニタ５０から、拡大表示の対象となる画像にポインタを合わせて、クリックすることにより、拡大表示の対象となる画像を選択する。なお、画像選択については、ポインタを合わせてクリックする手法に限定されず、入力部３９のマウスやキーボードにより、拡大表示の対象となる画像にポインタを合わせてダブルクリックすることにより、拡大表示の対象となる画像を選択してもよいし、入力部３９を出力モニタ５０のタッチパネルで構成し、出力モニタ５０のタッチパネルにおいて拡大表示の対象となる画像を直接に指で触れることにより、拡大表示の対象となる画像を選択してもよい。また、出力モニタ５０から、例えば「選択決定」キーを表示して、入力部３９のマウスやキーボードにより、「選択決定」キーをクリックすることにより、拡大表示の対象となる画像を選択してもよい。このステップＵ４は、この発明における画像選択工程に相当する。【００６６】
（ステップＵ５）拡大表示
ステップＵ４で選択された画像をコントローラ３８（図５を参照）は拡大処理して、拡大処理後の画像を、図６に示すメイン画面５１に表示する。この拡大処理によって、ステップＵ４で選択された画像をメイン画面５１に拡大表示する。また、ステップＵ４で重畳処理後の画像が選択された場合には、当該重畳処理後の画像を拡大表示する。この場合には、このステップＵ５は、ＩＰ画像、スキャナ画像を重ね合わせて重畳表示する重畳表示工程も行うことになる。したがって、このステップＵ５は、この発明における拡大表示手段に相当し、この発明における重畳表示工程にも相当する。【００６７】
本実施例１に係る測定システムに用いられる表示装置３５によれば、光あるいは放射線（各実施例ではβ＋線）の測定情報を有した測定情報画像（各実施例ではＩＰ画像）の輪郭が不明瞭で、測定対象の領域がたとえわかりにくくとも、その測定情報画像（ＩＰ画像）を読み込む第１読み込み部３６Ａと、測定対象の液体（各実施例では血液）の形態情報を有した形態情報画像（各実施例ではスキャナ画像）を読み込む第２読み込み部３６Ｂと、第１読み込み部３６Ａで読み込まれた当該測定情報画像（ＩＰ画像）、第２読み込み部３６Ｂで読み込まれた当該形態情報画像（スキャナ画像）を重ね合わせて重畳表示する重畳表示手段（各実施例ではメイン画面５１）とを備えることで、測定情報画像（ＩＰ画像）から形態情報画像（スキャナ画像）の測定対象の領域を視覚的に把握することができる。また、測定対象の液体（血液）が移動した痕跡が測定情報画像（ＩＰ画像）に写った場合であっても、測定情報画像（ＩＰ画像）と形態情報画像（スキャナ画像）とを重ね合わせて重畳表示する重畳表示手段（メイン画面５１）によって、測定対象の位置を特定することができる。【００６８】
また、本実施例１に係る表示方法および表示プログラム３７Ａによれば、ステップＴ１で、測定対象の液体（各実施例では血液）中に含まれている放射線（各実施例ではβ＋線）の測定情報を有した測定情報画像（各実施例ではＩＰ画像）を読み込むとともに、ステップＳ１で、測定対象の液体（血液）の形態情報を有した形態情報画像（各実施例ではスキャナ画像）を読み込む。そして、ステップＴ１で読み込まれた当該測定情報画像（ＩＰ画像）、ステップＳ１で読み込まれた当該形態情報画像（スキャナ画像）をステップＵ５で重ね合わせて重畳表示することで、測定情報画像（ＩＰ画像）から形態情報画像（スキャナ画像）の測定対象の領域を視覚的に把握することができる。【００６９】
本実施例１に係る表示装置３５において、第２読み込み部３６Ｂで読み込まれた当該形態情報画像（各実施例ではスキャナ画像）の輪郭を強調して輪郭強調画像を出力する輪郭強調手段（各実施例ではコントローラ３８）を備え、重畳表示手段（各実施例ではメイン画面５１）は、第１読み込み部３６Ａで読み込まれた当該測定情報画像（各実施例ではＩＰ画像）、輪郭強調手段（コントローラ３８）により輪郭が強調された当該輪郭強調画像を重ね合わせて重畳表示するのが好ましい。【００７０】
また、本実施例１に係る表示方法において、ステップＳ１で読み込まれた当該形態情報画像（各実施例ではスキャナ画像）の輪郭を強調して輪郭強調画像を出力するステップＵ１を備え、ステップＵ５では、ステップＴ１で読み込まれた当該測定情報画像（各実施例ではＩＰ画像）、ステップＵ１で輪郭が強調された当該輪郭強調画像を重ね合わせて重畳表示するのが好ましい。形態情報画像（スキャナ画像）の輪郭を強調して輪郭強調画像を出力することで関心領域を抽出することができ、それを測定情報画像（ＩＰ画像）と重ね合わせることで重畳表示の際にわかりやすくなる。【００７１】
本実施例１に係る表示装置３５において、第１読み込み部３６Ａで読み込まれた当該測定情報画像（各実施例ではＩＰ画像）を表示する測定情報画像表示手段（各実施例では縮小画面５２）を備え、第２読み込み部３６Ｂで読み込まれた当該形態情報画像（各実施例ではスキャナ画像）を表示する形態情報画像表示手段（各実施例では縮小画面５３）を備えている。重畳表示の基となる測定情報画像（ＩＰ画像）／形態情報画像（スキャナ画像）のいずれか少なくとも１つの画像（各実施例では両方の画像：ＩＰ画像・スキャナ画像）を表示することで、重畳表示の基となる各画像を視覚的にわかりやすくすることができる。【００７２】
本実施例１に係る表示装置３５において、第１読み込み部３６Ａで読み込まれた当該測定情報画像（各実施例ではＩＰ画像）、第２読み込み部３６Ｂで読み込まれた当該形態情報画像（各実施例ではスキャナ画像）のいずれか少なくとも１つの画像（各実施例では両方の画像：ＩＰ画像・スキャナ画像）を縮小表示する縮小表示手段（各実施例では縮小画面５２，５３，５４）と、その縮小表示手段（縮小画面５２，５３，５４）により縮小表示された当該画像を選択する画像選択手段（各実施例では入力部３９）と、その画像選択手段（入力部３９）で選択された当該画像を拡大表示する拡大表示手段（各実施例ではメイン画面５１）とを備えるのが好ましい。【００７３】
また、本実施例１に係る表示方法において、ステップＴ１で読み込まれた当該測定情報画像（各実施例ではＩＰ画像）、ステップＳ１で読み込まれた当該形態情報画像（各実施例ではスキャナ画像）のいずれか少なくとも１つの画像（各実施例では両方の画像：ＩＰ画像・スキャナ画像）を縮小表示するステップＳ２，Ｔ２およびステップＵ３と、そのステップＳ２，Ｔ２およびステップＵ３で縮小表示された当該画像を選択するステップＵ４と、そのステップＵ４で選択された当該画像を拡大表示するステップＵ５とを備えるのが好ましい。【００７４】
重畳表示の基となる測定情報画像（各実施例ではＩＰ画像）／形態情報画像（各実施例ではスキャナ画像）のいずれか少なくとも１つの画像（各実施例では両方の画像：ＩＰ画像・スキャナ画像）を縮小表示することで、縮小表示された当該画像を選択しやすくすることができる。さらに、選択された当該画像を拡大表示することで、選択された当該画像を視覚的にわかりやすくすることができる。【００７５】
本実施例１のように、縮小表示手段（各実施例では縮小画面５２，５３，５４）と画像選択手段（各実施例では入力部３９）と拡大表示手段（各実施例ではメイン画面５１）とを備えた場合において、縮小画面５４は、測定情報画像（各実施例ではＩＰ画像）、形態情報画像（各実施例ではスキャナ画像）を重ね合わせて重畳処理した重畳処理後の画像を縮小表示し、画像選択手段（入力部３９）を、縮小画面５４により縮小表示された当該重畳処理後の画像も選択可能に構成し、メイン画面５１は、画像選択手段（入力部３９）により当該重畳処理後の画像が選択された場合には、当該重畳処理後の画像を拡大表示するのが好ましい。【００７６】
また、本実施例１のように、ステップＳ２，Ｔ２およびステップＵ３とステップＵ４とステップＵ５とを備えた場合において、ステップＵ３では、測定情報画像（各実施例ではＩＰ画像）、形態情報画像（各実施例ではスキャナ画像）を重ね合わせて重畳処理した重畳処理後の画像を縮小表示し、ステップＵ４では、縮小表示工程で縮小表示された当該重畳処理後の画像も選択し、ステップＵ５では、ステップＵ４で当該重畳処理後の画像が選択された場合には、当該重畳処理後の画像を拡大表示するのが好ましい。【００７７】
重畳処理後の画像を縮小表示することで、縮小表示された当該重畳処理後の画像も選択しやすくすることができる。さらに、選択された当該重畳処理後の画像を拡大表示することで、選択された当該重畳処理後の画像・選択の対象となる各画像間で視覚的にわかりやすく切り替え表示することができる。【００７８】
本実施例１では、表示装置３５は、図６に示すように、縮小表示された画像、拡大表示された画像も含めた各画像を１つの画面（出力モニタ５０）上に表示するように構成している。各画像を１つの画面上で速やかに切り替えて表示し視覚的に一層わかりやすくすることができる。
【実施例２】
【００７９】
次に、図面を参照してこの発明の実施例２を説明する。
図８は、実施例２に係る一連の処理の流れを示したフローチャートである。上述した実施例１と共通する構成については同じ符号を付して、その説明を省略するとともに、図示を省略する。また、本実施例２に係る採血装置および測定装置については、実施例１でも述べた図１〜図３と同じ構成であり、本実施例２に係る円板や表示装置についても、実施例１でも述べた図４〜図６と同じ構成であるので、その説明および図示を省略する。【００８０】
実施例１の図７のフローチャートと相違する点は、図７に示すステップＵ１での輪郭強調を行わない点である。つまり、ステップＳ１で読み込まれたスキャナ画像の輪郭を強調して輪郭強調画像を出力する輪郭強調を行わずに、図８では、ステップＳ１で読み込まれたスキャナ画像、ステップＴ１で読み込まれたＩＰ画像を重ね合わせて重畳処理する（ステップＵ２）。その他の各ステップについては、実施例１の図７のフローチャートにおける各ステップと同じであるので、その説明を省略する。【００８１】
本実施例２の作用・効果については、実施例１の輪郭強調を本実施例２では行わない点を除けば、実施例１の作用・効果と同じであるので、その説明を省略する。【００８２】
この発明は、上記実施形態に限られることはなく、下記のように変形実施することができる。【００８３】
（１）上述した各実施例では、測定対象の液体として血液を例に採って説明したが、測定対象の液体であれば、血液に限定されずに、放射性物質や発光物質や蛍光剤が含まれた液体や、分析装置に用いられる混合液などであってもよい。また、測定対象の液体は、遠心分離の対象となる液体でなくともよい。【００８４】
（２）上述した各実施例では、測定情報画像は、イメージングプレートＩＰから取得されたＩＰ画像であったが、測定対象の液体中に含まれている発光あるいは蛍光物質から発生した光あるいは測定対象の液体中に含まれている放射線の測定情報を有した測定情報画像であれば、例えば光（フォトン：光子）や放射線を直接的に計数することで取得された測定情報画像などのように、必ずしもＩＰ画像に限定されない。【００８５】
（３）上述した各実施例では、形態情報画像は、撮像部３４のフラットヘッドスキャナから取得されたスキャナ画像であったが、測定対象の液体の形態情報を有した形態情報画像であれば、例えば放射線照射手段および放射線検出手段で構成される放射線撮像手段で取得された形態情報画像などのように、必ずしもスキャナ画像に限定されない。【００８６】
（４）上述した各実施例では、測定情報画像表示手段（各実施例では縮小画面５２）や形態情報画像表示手段（各実施例では縮小画面５３）を備えたが、最終的に重畳表示される重畳表示手段（各実施例ではメイン画面５１）を最小限に備えてさえいれば、必ずしも測定情報画像表示手段（縮小画面５２）や形態情報画像表示手段（縮小画面５３）を備える必要はない。【００８７】
（５）上述した各実施例では、測定情報画像（各実施例ではＩＰ画像）、形態情報画像（各実施例ではスキャナ画像）のいずれか少なくとも１つの画像を縮小表示する縮小表示手段（各実施例では縮小画面５２，５３，５４）を備えたが、必ずしも縮小表示手段（縮小画面５２，５３，５４）を備える必要はない。また、縮小表示手段（縮小画面５２，５３，５４）は、測定情報画像（ＩＰ画像）のみ縮小表示してもよいし、形態情報画像（スキャナ画像）のみ縮小表示してもよい。また、同じ画面に測定情報画像（ＩＰ画像）や形態情報画像（スキャナ画像）を縮小表示したものを１つにまとめて、切り替え縮小表示してもよい。また、重畳処理後の画像を縮小表示した場合においても、同じ画面に測定情報画像（ＩＰ画像）や形態情報画像（スキャナ画像）や重畳処理後の画像を縮小表示したものを１つあるいは２つにまとめて、切り替え縮小表示してもよい。【００８８】
（６）上述した各実施例では、縮小表示手段（各実施例では縮小画面５２，５３，５４）を備えた場合において、その縮小表示手段（縮小画面５２，５３，５４）により縮小表示された当該画像を選択する画像選択手段として入力部３９で構成して画像選択を手動で行ったが、画像選択手段としてコントローラ３８で構成して画像選択を自動で行ってもよい。【００８９】
（７）上述した各実施例では、縮小表示手段（各実施例では縮小画面５２，５３，５４）と画像選択手段（各実施例では入力部３９）とを備えた場合において、その画像選択手段（入力部３９）で選択された当該画像を拡大表示する拡大表示手段（各実施例ではメイン画面５１）を備えたが、必ずしも拡大表示手段（メイン画面５１）を備える必要はない。また、重畳表示手段と拡大表示手段とを１つの画面（各実施例ではメイン画面５１）にまとめたが、重畳表示手段と拡大表示手段とを分離してそれぞれ表示してもよい。【００９０】
（８）上述した各実施例では、縮小表示手段（各実施例では縮小画面５２，５３，５４）と画像選択手段（各実施例では入力部３９）と拡大表示手段（各実施例ではメイン画面５１）とを備えた場合において、縮小表示手段（縮小画面５４）は重畳処理後の画像を縮小表示し、画像選択手段（入力部３９）を、縮小表示手段（縮小画面５４）により縮小表示された当該重畳処理後の画像も選択可能に構成し、拡大表示手段（メイン画面５１）は、画像選択手段（入力部３９）により当該重畳処理後の画像が選択された場合には、当該重畳処理後の画像を拡大表示したが、必ずしも重畳処理後の画像をも縮小表示・拡大表示する必要はない。【００９１】
（９）上述した各実施例では、各画像を１つの画面（各実施例では出力モニタ５０）上に表示するように構成したが、各画像を１つのウィンドウ画面に表示するとともに、各画像を当該ウィンドウ画面とは別の１つ以上のタブあるいは別の１つ以上のウィンドウ画面に表示するように構成してもよい。【００９２】
（１０）上述した各実施例では、測定情報画像（各実施例ではＩＰ画像）、形態情報画像（各実施例ではスキャナ画像）のいずれか少なくとも１つの画像を縮小表示する縮小表示手段（各実施例では縮小画面５２，５３，５４）を備え、さらに、縮小表示された画像、拡大表示された画像も含めた各画像を１つの画面（出力モニタ５０）上に表示するように構成したが、縮小表示や拡大表示することなく、各画像を１つの画面（出力モニタ５０）上に表示するように構成してもよい。同じく、縮小表示や拡大表示することなく、各画像を当該ウィンドウ画面とは別の１つ以上のタブあるいは別の１つ以上のウィンドウ画面に表示するように構成してもよい。
【符号の説明】
【００９３】
３５  …  表示装置
３６Ａ  …  第１読み込み部
３６Ｂ  …  第２読み込み部
３７Ａ  …  表示プログラム
３８  …  コントローラ
３９  …  入力部
５１  …  メイン画面
５２，５３，５４  …  縮小画面
【図１】
2013057762.tif 000003
【図２】
2013057762.tif 000004
【図３】
2013057762.tif 000005
【図４】
2013057762.tif 000006
【図５】
2013057762.tif 000007
【図６】
2013057762.tif 000008
【図７】
2013057762.tif 000009
【図８】
2013057762.tif 000010
【国際調査報告】
2013057762.tif 000011
2013057762.tif 000012
2013057762.tif 000013
2013057762.tif 000014